(57)【特許請求の範囲】
【請求項１】
グロースタータの口金が着脱可能にねじ込まれる円筒状の口金受け筒部の外側に、雑音防止用コンデンサが収容されるコンデンサ収容部およびこの収容部の幅方向両側に位置される電線差込み部が夫々一体に形成されるとともに、前記口金受け筒部の前記グロースタータが挿入される先端開口端部とは反対側開口端部に前記口金受け筒部を径方向に横断して一体に形成されたブリッジを有するボディと、
第１片部およびこれから折れ曲がった第２片部からなるヘの字形のベースを有するとともに、前記口金受け筒部の内周面に露出されて前記口金の周壁が接触する口金接触片部を前記第１片部に一体に設け、かつ、前記コンデンサ収容部を挿通する前記コンデンサの一方のリードを自己鎖錠式に保持するリード鎖錠片部および一方の前記電線差し込み部を挿通する電線を自己鎖錠方式に保持する電線鎖錠片部を前記第２片部に夫々一体に設けてなり、前記ベースの幅方向を前記ボディの軸方向と一致させて前記ボディに内蔵された第１接触金具と、
第１片部およびこれから折れ曲がった第２片部からなるヘの字形のベースを有するとともに、前記ブリッジに前記先端開口端部側から対向して前記口金のアイレット端子が接触する口金接触片部を前記第１片部に一体に設け、かつ、前記コンデンサ収容部を挿通する前記コンデンサの他方のリードを自己鎖錠方式に保持するリード鎖錠片部および他方の前記電線差し込み部を挿通する電線を自己鎖錠式に保持する電線鎖錠片部を前記第２片部に夫々一体に設けてなり、前記ベースの幅方向を前記ボディの軸方向と一致させて前記ボディに内蔵された第２接触金具と、
を具備し、
前記第１、第２の接触金具のベースの前記第１片部が逆ハの字状に配置されるとともに前記第２片部が互いに平行となるように、これら接触金具のベースを前記口金受け筒部の径方向に関し左右対称に配置したことを特徴とするグロースタータソケット。
【請求項２】
前記第１、第２の接触金具が有した前記リード鎖錠片部または前記電線鎖錠片部を、前記第２片部から切り起こして設けたことを特徴とする請求項１記載のグロースタータソケット。
【発明の詳細な説明】
【０００１】
【発明の属する技術分野】
本発明は、放電ランプを光源として備える照明器具において前記ランプを始動させるための点灯管（グロースタータ）を着脱可能に支持するグロースタータソケットに関する。
【０００２】
【従来の技術】
グロースタータソケットの中には、グローランプを支持する口金受け筒部を有する他に、グロースタータが内蔵するバイメタルの動作に伴う雑音を防止するための雑音防止用コンデンサが付設され、また、ソケットに対する雑音防止用コンデンサの接続および器具内配線などの電線の接続にあたり自己鎖錠式の接続構造を採用したものがある。この種のグロースタータソケットは図１１〜図１４に例示されている。
【０００３】
これらの図中１は硬質なユリア樹脂からなるボディであり、これは後面が開放された略四角な箱状をなすボディベース２を備える。このベース２の前面には、先端が開口された円筒状の口金受け筒部３が一体に突設されているとともに、この筒部３の外側に位置して雑音防止用コンデンサ４が収容されるコンデンサ収容部５と、この収容部５の幅方向両側に位置して図示しない電線が差し込まれる電線差し込み部６とが夫々一体に設けられている。ボディベース２の後面開口は、このベース２に爪係合される裏蓋７により塞がれる。
【０００４】
ボディベース２の口金受け筒部３にはその先端開口側から有底円筒状の受金８が収容され、この受金８にはグロースタータ９の口金９ａが着脱可能にねじ込まれる。ボディベース２にはその後面開口側から第１接触金具１０と第２接触金具１１とが夫々内蔵されている。
【０００５】
第１接触金具１０は、ボディベース２の前面壁の裏面に重なる平板状ベース部分に、リード鎖錠片部１０ａと、電線鎖錠片部１０ｂと、グロメット連結部１０ｃとを一体に設けている。グロメット連結部１０ｃは前記前面壁を貫通するグロメット１２を介して受金８の底板に連結されて、この受金８と電気的に接続されている。
【０００６】
第２接触金具１１は、ボディベース２の前面壁の裏面に重なる平板状ベース部分に、リード鎖錠片部１１ａと、電線鎖錠片部１１ｂと、口金接触片部１１ｃとを一体に設けている。口金接触片部１１ｃは、両鎖錠片部１１ａ、１１ｂとは逆方向に延出されて、前記前面壁を通って受金８の底部中央位置に受金８に接しないように電気的に絶縁して配置されている。この口金接触片部１１ｃには受金８に螺合された口金９のアイレット端子９ｂが押し当てられる。
【０００７】
両接触金具１０、１１のリード鎖錠片部１０ａ、１１ａは、コンデンサ収容部５の底部を前記後面開口に向けて挿通するコンデンサ４のリード４ａを自己鎖錠式に保持し、また、電線鎖錠片部１０ｂ、１１ｂは前記後面開口に向けて電線差し込み部６に挿通される図示しない電線を自己鎖錠式に保持するようになっている。
【０００８】
こうした構成を有したグロースタソケットは、そのボディベース２を挿通するねじを介して照明器具のシャーシに、このシャーシに裏蓋７が接するように連結して用いられる。
【０００９】
【発明が解決しようとする課題】
前記構成のグロースタータソケットは、その第１、第２の接続金具１０、１１の平板状べース部分が図１３に示されるように口金受け筒部３の軸方向に直角に展開した姿勢でボディベース２に内蔵されているので、これら金具１０、１１がボディベース２内で占める面積が大きい。それに伴い、大形なボディベース２を必要とし、ソケットの全体形状が大形であるという問題がある。また、前記構成のグロースタータソケットは、第１、第２の接続金具１０、１１の他に、受金８、およびグロメット１２を必要としているので、ボディ１への内蔵部品が多く、構造が複雑で、組立ての手間も多いという問題がある。さらに、このように大形でかつ内蔵部品数が多いことにより、コスト高でもあるというも問題がある。
【００１０】
したがって、本発明が解決しようとする第１の課題は、コンパクトにできるとともに、内蔵部品数が少なく、安価なグロースタータソケットを得ることにある。
【００１１】
また、前記のようにボディ１に内蔵される第１、第２の接触金具１０、１１は、それらの展開形状が大きく異なるとともに、特に、第１接触金具１０は平板状べース部に対して様々な方向への突出部が多い形状をなしている。そのため、これら接触金具１０、１１をプレス加工で打ち抜き成形して得る場合における材料の無駄が多く、コスト高の一因となっているという問題がある。
【００１２】
したがって、本発明が解決しようとする第２の課題は、接触金具の材料取りを向上してコストを低減でき、しかも、コンパクト化を促進できるグロースタータソケットを得ることにある。
【００１３】
【課題を解決するための手段】
前記第１の課題を解決するために、請求項１の発明は、グロースタータの口金が着脱可能にねじ込まれる円筒状の口金受け筒部の外側に、雑音防止用コンデンサが収容されるコンデンサ収容部およびこの収容部の幅方向両側に位置される電線差込み部が夫々一体に形成されるとともに、前記口金受け筒部の前記グロースタータが挿入される先端開口端部とは反対側開口端部に前記口金受け筒部を径方向に横断して一体に形成されたブリッジを有するボディと、第１片部およびこれから折れ曲がった第２片部からなるヘの字形のベースを有するとともに、前記口金受け筒部の内周面に露出されて前記口金の周壁が接触する口金接触片部を前記第１片部に一体に設け、かつ、前記コンデンサ収容部を挿通する前記コンデンサの一方のリードを自己鎖錠式に保持するリード鎖錠片部および一方の前記電線差し込み部を挿通する電線を自己鎖錠方式に保持する電線鎖錠片部を前記第２片部に夫々一体に設けてなり、前記ベースの幅方向を前記ボディの軸方向と一致させて前記ボディに内蔵された第１接触金具と、第１片部およびこれから折れ曲がった第２片部からなるヘの字形のベースを有するとともに、前記ブリッジに前記先端開口端部側から対向して前記口金のアイレット端子が接触する口金接触片部を前記第１片部に一体に設け、かつ、前記コンデンサ収容部を挿通する前記コンデンサの他方のリードを自己鎖錠方式に保持するリード鎖錠片部および他方の前記電線差し込み部を挿通する電線を自己鎖錠式に保持する電線鎖錠片部を前記第２片部に夫々一体に設けてなり、前記ベースの幅方向を前記ボディの軸方向と一致させて前記ボディに内蔵された第２接触金具と、を具備し、前記第１、第２の接触金具のベースの前記第１片部が逆ハの字状に配置されるとともに前記第２片部が互いに平行となるように、これら接触金具のベースを前記口金受け筒部の径方向に関し左右対称に配置したことを特徴とするものである。
【００１４】
請求項１の発明において、ボディに内蔵された第１、第２の接触金具のリード鎖錠片部は、ボディのコンデンサ収容部に収容される雑音防止用コンデンサが有するリードを自己鎖錠して、このリードを機械的に保持し前記コンデンサと両接触金具とを電気的に接続する。同様に両接触金具の電線鎖錠片部は、ボディの電線差し込み部に挿入される電線を自己鎖錠して、このリードを機械的に保持し前記コンデンサと両接触金具とを電気的に接続する。そして、第１接触金具の口金接触片部にはグロースタータの口金の周壁が接触し、このスタータと電気的に接続するとともに、第２接触金具の口金接触片部には前記口金のアイレット端子が接触して、前記スタータと電気的に接続する。また、ボディのブリッジは、アイレット端子が第２接触金具の口金接触片部に接触するに伴って、この接触片部を過度に変形しないように支持して、そのへたりを防止する。前記両口金接触片部は、ブリッジの両側に残されるボディの後端開口を通して夫々ボディの口金受け筒部の内側に挿入して配置することができる。
【００１５】
前記のように第１、第２の接触金具の口金接触片部を直接グロースタータの口金に接触させる構成であるので、ボディに内蔵する金具の数を削減できる。そして、ボディに内蔵される前記二つの接触金具を、そのベースの幅方向をボディの軸方向と一致させるとともに口金受け筒部の径方向に関し左右対称であって、かつ、ベースの第１片部を逆ハの字状に配置すると共に第２片部を互いに平行にした配置にしたから、前記べースが口金受け筒部の軸方向に直角に展開した姿勢となることがなく、前記軸方向と直角な方向に占める両接触金具のベースの面積を小さくできる。
【００１６】
また、前記第２の課題を解決するために、請求項２の発明は、前記第１、第２の接触金具が有した前記リード鎖錠片部または前記電線鎖錠片部を、前記第２片部から切り起こして設けたことを特徴とするものである。
【００１７】
この請求項２の発明においては、第１、第２の接触金具の展開形状を略同じにできるとともに、そのべースに対して異なる方向に突出する突出部が少ない展開形状とできる。そのため、これら接触金具をプレス加工で打ち抜き成形して得る場合の材料の無駄が少ないとともに、第２片部の一部を利用してリード鎖錠片部または電線鎖錠片部を形成するので、この鎖錠片部を作るために格別に材料を必要としない。しかも、第２片部から切り起こして形成されるリード鎖錠片部または電線鎖錠片部は、当然に第２片部の幅内に設けられるので、この鎖錠片部が接触金具の幅を大きくする原因となることがない。
【００１８】
【発明の実施の形態】
以下、図１〜図１０を参照して本発明の第１の実施の形態を説明する。
図１〜図７中符号２１で示すグロースタータソケットは、ボディ２２と、裏蓋２３と、第１接触金具２４と、第２接触金具２５とを具備している。ボディ２２の後端は開口されている。
【００１９】
ボディ２２は、熱可塑性合成樹脂例えばポリプロピレンの成形品であって、円筒状の口金受け筒部３１の外側に、一対の金具収容部２２ａと、一つのコンデンサ収容部３２と、一対の電線差し込み部３３とを夫々一体に形成してなる。
【００２０】
口金受け筒部３１には、図３〜図５に示されるグロースタータ（点灯管、またはグロー放電管、或いはグローランプとも称する。）２６の口金２７が着脱可能にねじ込まれる。口金２７は、その外周をなす螺旋溝を有する周壁２７ａと、口金端面に設けられたアイレット端子２７ｂとを有している。口金受け筒部３１は、その内周面に周方向に沿って斜めに延びてビード状に突出形成されるとともに、前記螺旋溝に係合してグロースタータ２６が不用意に抜けないように外れ止めするねじ山部３４を有している。
【００２１】
この口金受け筒部３１は、そのグロースタータ２６が挿入される先端開口部と反対側開口端部に、この筒部３１を径方向に横断するブリッジ３５を有しているとともに、裏蓋取付け孔３６、３７を有している。裏蓋取付け孔３６は例えばブリッジ３５の一端部に形成され、一対の蓋取付け孔３７は夫々ブリッジ３５から離れてブリッジ３５の他端部側に形成されている。さらに、口金受け筒部３１の内周面には図７に示されるようにその軸方向に延びる金具係合凹部３１ａが設けられている。
【００２２】
一対の金具収容部２２ａは、前記反対側開口端部の外側にボディ２２の径方向を中心とする線対称の配置に形成されていて、後述する隔壁３９で仕切られているとともに、その後面は夫々開放されている。したがって、これら金具収容部２７ａはあたかもブリッジ３５の延長部分で仕切られたようになっている。
【００２３】
金具収容部２２ａの前側に一体に連なって形成されたコンデンサ収容部３２には、図３〜図５に示される雑音防止用コンデンサ３８が収容される。このコンデンサ３８はグロースタータ２６のバイメタル動作に伴って発生するノイズを吸収するために使用され、一対の線状のリード３８ａを有している。図１および図８に示されるようにコンデンサ収容部３２の底部（つまり、収容部２２ａ、３２の境界となる壁部）には一対のリード通孔３２ａが設けられ、これら通孔３２ａはボディ２２が有する隔壁３９で仕切られている。隔壁３９は図２に示されるれように例えばブリッジ３５の他端に一体に連続して設けられている。
【００２４】
金具収容部２２ａの前側に一体に連なって形成された一対の電線差し込み部３３は、図１および図８に示されるようにコンデンサ収容部３２の幅方向両側に位置して設けられ、その底部（つまり、収容部２２ａ、３３の境界となる壁部）には電線通孔３３ａが設けられている。なお、図１中４０は電線差し込み部３３に挿入された電線４１（図８中２点鎖線参照）をボディ２２から引き抜く際にリリース棒が挿入されるリリース孔を示している。
【００２５】
また、口金受け筒部３１の後端開口端部の外面には、径方向に対向する一対の取付け爪４２が一体に突設されている。これらの爪４２を図示しない照明器具のシャーシに設けた取付け孔の孔縁に夫々引っ掛けることによって、グロースタータソケット２１が、前記シャーシに取付けられるようになっている。
【００２６】
前記構成のボディ２２における後端開口を塞ぐ前記裏蓋２３は、第１係合爪４５と、一対の第２係合爪４６とを有している。そして、第１係合爪４５を前記裏蓋取付け孔３６に引掛けるとともに、第２係合爪４６を前記裏蓋取付け孔３７に夫々引掛けることにより、ボディ２２に取付けられている。しかも、この第１の実施の形態においては、ソケット２１全体の部品点数をより少なくするために、図２および図５に示されるように裏蓋２３はボディ２２に対して薄肉なセルフヒンジ４７を介して一体に形成されている。なお、本発明において裏蓋２３を、ボディ２２と別体として、前記爪係合その他ねじ止め等適当な手段でボディ２２に連結して設けてもよい。
【００２７】
前記ボディ２２に内蔵されるばね製を有する銅合金製の第１接触金具２４は、図１０に示されるようにベース５１に、口金接触片部５２と、電線鎖錠片部５３と、リード鎖錠片部５４とを夫々一体に設けて形成されている。
【００２８】
詳しくは、ベース５１は、第１片部５１ａおよびこれから折れ曲がった第２片部５１ｂからへの字形をなして形成されている。口金接触片部５２は、短冊状をなして、第１片部５１ａの幅方向一端から前記幅方向に延びて一体に設けられている。この接触片部５２は、前記口金２７の周壁２７ａとの接触面積をより大きくするために例えば波形状に成形されているが、この波形は本発明では省略してもよい。
【００２９】
電線鎖錠片部５３は、第２片部５１ｂの幅方向一端から一体に延出した突出部を、第２片部５１ｂの幅内に位置されるように斜めに折曲げて設けられている。リード鎖錠片部５４も第２片部５１ｂに一体に設けられ、しかも、この第１の実施の形態では第２片部５１ｂから斜めに切り起こして形成されている。これら電線鎖錠片部５３およびリード鎖錠片部５４の先端部には、夫々Ｖ字溝５３ａ、５４ａが曲げ形成されている。
【００３０】
前記ボディ２２に内蔵されるばね製を有する銅合金製の第２接触金具２５の構成は前記第１接触金具２４と同様であり、図９に示されるようにベース５５に、口金接触片部５６と、電線鎖錠片部５７と、リード鎖錠片部５８とを夫々一体に設けて形成されている。
【００３１】
詳しくは、ベース５５は、第１片部５５ａおよびこれから折れ曲がった第２片部５５ｂからへの字形をなして形成されている。口金接触片部５６は、短冊状をなして、第１片部５５ａの幅方向一端から前記幅方向に延びて一体に設けられている。電線鎖錠片部５７は、第２片部５５ｂの幅方向一端から一体に延出した突出部を、第２片部５５ｂの幅内に位置されるように斜めに折曲げて設けられている。リード鎖錠片部５８も第２片部５５ｂに一体に設けられ、しかも、この第１の実施の形態では第２片部５５ｂから斜めに切り起こして形成されている。これら電線鎖錠片部５７およびリード鎖錠片部５８の先端部には、夫々Ｖ字溝５７ａ、５８ａが曲げ形成されている。
【００３２】
そして、前記構成の両接触金具２４、２５は図２および図８等に示されるようにボディ２２に内蔵されている。すなわち、第１接触金具２４は、口金接触片部５２を先頭にして一方の金具収容部２２ａにその後端開口から挿入して収容されている。なお、最終段階では圧入気味に挿入される。この収容により、ベース５１および両鎖錠片部５３、５４が夫々前記一方の金具収容部２２ａに内蔵されるとともに、口金接触片部５２が口金受け筒部３１の金具係合凹部３１ａに係合して保持されて、この口金受け筒部３１の内周面に面一的に露出して設けられる。こうした第１接触金具２４のボディ２２への取付けはブリッジ３５で仕切られたボディ２２の後端開口を通して行うことができる。
【００３３】
この取付けにより第１接触金具２４は、図２等に示されるようにベース５１の幅方向をボディ２２の軸方向と一致させてボディ２２に内蔵される。こうして内蔵された第１接触金具２４の電線鎖錠片部５３は、前記一方の金具収容部２２ａの内壁面に接近し、かつ、そのＶ字溝５３ａを一方の電線差し込み部３３の電線通孔３３ａに対向させて配置される。また、第１接触金具２４のリード鎖錠片部５４は、前記隔壁３９の側面に接近し、かつ、そのＶ字溝５４ａを一方のリード通孔３２ａに対向させて配置される。
【００３４】
また、第２接触金具２５は、口金接触片部５６を先頭にして他方の金具収容部２２ａにその後端開口から挿入して収容されている。なお、最終段階では圧入気味に挿入される。この収容により、ベース５５および両鎖錠片部５７、５８が夫々前記他方の金具収容部２２ａに内蔵されるとともに、口金接触片部５６の先端部がブリッジ３５に口金受け筒部３１の先端開口端部側から対向して設けられる。こうした第２接触金具２５のボディ２２への取付けはブリッジ３５で仕切られたボディ２２の後端開口を通して行うことができる。
【００３５】
この取付けにより第２接触金具２５は、図２等に示されるようにベース５５の幅方向をボディ２２の軸方向と一致させてボディ２５に内蔵される。こうして内蔵された第２接触金具２５の電線鎖錠片部５７は、前記他方の金具収容部２２ａの内壁面に接近し、かつ、そのＶ字溝５７ａを他方の電線差し込み部３３の電線通孔３３ａに対向させて配置される。また、第２接触金具２５のリード鎖錠片部５８は、前記隔壁３９の側面に接近し、かつ、そのＶ字溝５８ａを一方のリード通孔３２ａに対向させて配置される。
【００３６】
そして、以上のようにしてボディ２２に内蔵された一対の接触金具２４、２５のベース５１、５５は、図１に示す姿勢において後面開口から見たときに図２に示されるように第１片部５１ａ、５５ａを逆ハの字状に配置するとともに、第２片部５１ｂ、５５ｂを互いに平行となるように、口金受け筒部３１の径方向に関し左右対称に配置されている。なお、図示しない前記シャーシへは既述の爪係合により図１の姿勢とは上下逆様の姿勢で取付けられるので、その姿勢では第１片部５１ａ、５５ａはハの字状の配置として認められる。
【００３７】
前記構成のグロースタータソケット２１に対してグロースタータ２６、コンデンサ３８、および２本の電線４１は次のように取付けられる。
【００３８】
グロースタータ２６は、その口金２７を口金受け筒部３１内にこの筒部３１の先端開口からねじ込むことにより、口金２７の周壁２７ａのねじ溝にねじ山部３４を係合させて口金受け筒部３１に取付けられる。この取付けにより、口金２７の周壁２７ａが第１接触金具２４の口金接触片部５２に接触されるとともに、口金２７のアイレット端子２７ａが第２接触金具２５の口金接触片部５６を押圧し弾性変形させる。このアイレット端子２７ａの口金接触片部５６への接触において、口金受け筒部３１のブリッジ３５が口金接触片部５６の一定量以上の弾性変形を阻止するので、口金接触片部５６が過度に変形されてへたることを防止できる。
【００３９】
コンデンサ３８は、その２本のリード３８ａを先頭にしてコンデンサ収容部３２に挿入することにより、この収容部３２に収容して取付けられる。この取付けにより、一方のリード３８ａは、一方のリード通孔３２ａを通って対応する一方の金具収容部２２ａに挿入されるから、前記一方のリード通孔３２ａに対向している第１接触金具２４のリード鎖錠片部５４を押し動かしながら通過し、この片部５４のＶ字溝５４ａと隔壁３９の一側面との間に自己鎖錠式に保持される。同様に、他方のリード３８ａも、他方のリード通孔３２ａを通って対応する他方の金具収容部２２ａに挿入されるから、前記他方のリード通孔３２ａに対向している第２接触金具２５のリード鎖錠片部５８を押し動かしながら通過し、この片部５８のＶ字溝５８ａと隔壁３９の他側面との間に自己鎖錠式に保持される。こうして取付けられるコンデンサ３８はグロースタータ２６に対し電気的に並列に接続される。
【００４０】
２本の電線４１は夫々電線差し込み部３３に挿入して取付けられる。この挿入により、一方の電線４１は、一方の電線差し込み部３３の電線通孔３３ａを通って対応する一方の金具収容部２２ａに挿入されるから、前記一方の電線通孔３３ａに対向している第１接触金具２４の電線鎖錠片部５３を押し動かしながら通過し、この片部５３のＶ字溝５３ａと一方の金具収容部２２ａの内側面との間に自己鎖錠式に保持される。同様に、他方の電線４１は、他方の電線差し込み部３３の電線通孔３３ａを通って対応する他方の金具収容部２２ａに挿入されるから、前記他方の電線通孔３３ａに対向している第２接触金具２５の電線鎖錠片部５７を押し動かしながら通過し、この片部５７のＶ字溝５７ａと他方の金具収容部２２ａの内側面との間に自己鎖錠式に保持される。
【００４１】
以上のようにグロースタータ２６等を取付けて使用されるグロースタソケット２１は、第１、第２の接触金具２４、２５に一体に設けた口金接触片部５２、５６を、夫々直接グロースタータ２６の口金２７に接触させるので、コンデンサ３８および電線４１と口金２７とを電気的に接続するために必要とするボディ内蔵の金具の数を、前記両接触金具２４、２５と同数の最低数に削減できる。
【００４２】
そして、これら二つの接触金具２４、２５を、そのベース５１、５５の幅方向をボディ２２の軸方向と一致させるとともに口金受け筒部３１の径方向に関し左右対称であって、かつ、ベース５１、５５の第１片部５１ａ、５５ａを逆ハの字状に配置すると共に第２片部５１ｂ、５５ｂを互いに平行にしてボディ２２に内蔵したことにより、図２に示されるようにべース５１、５５が口金受け筒部３１の軸方向に直角に展開した姿勢となることがなく、前記軸方向と直角な方向に占める両接触金具２４、２５のベース５１、５５の面積を小さくできる。このようなボディ２２内への両接触金具２４、２５の配置により、これら金具２４、２５を収容する金具収容部２２ａを小形にできるから、それに伴いボディ２２を小形にできる。したがって、ソケット２１全体をコンパクトに形成することができ、ひいては照明器具のシャーシ内への組込み上有利となる。
【００４３】
しかも、以上のように部品点数が少なくことに伴い組立て工数も削減でき、それに加えて、コンパクトであることにより、コストを低減でき安価に得ることができる。
【００４４】
また、このグロースタータソケット２１は、その第１、第２の接触金具２４、２５が有したリード鎖錠片部５４、５８を、ベース５１、５５の第２片部５１ｂ、５５ｂから切り起こして設けたから、両接触金具２４、２５の夫々の展開形状を略同じにできるとともに、そのべース５１、５５に対して異なる方向に突出する突出部が少ない展開形状とできる。
【００４５】
そのため、これら接触金具２４、２５をプレス加工で打ち抜き成形して得る場合の材料の無駄が少なくできる。ちなみに、図１０（Ｄ）は第１接触金具２４の展開図、図９（Ｄ）は第２接触金具２５の展開図であり、これらの図中２点鎖線の斜め線を付して示す部分が材料の無駄となるスクラップである。その上、第２片部５１ｂ、５５ｂの一部を利用してリード鎖錠片部５４、５８を形成したので、これらの鎖錠片部５４、５８を作るために格別に材料を必要としない。このように接触金具２４、２５の材料取りを向上できるので、コストを低減できる。
【００４６】
しかも、第２片部５１ｂ、５５ｂから切り起こして形成されるリード鎖錠片部５４、５８は、当然に第２片部５１ｂ、５５ｂの幅内に設けられるので、この鎖錠片部５４、５８が接触金具２４、２５の幅を大きくする原因となることがない。ちなみに、電線鎖錠片部５３、５７のようにベース５１、５５の外に延出された部分を折り曲げて形成されると同様な構成によりリード鎖錠片部５４、５８を設ける場合には、図８中２点鎖線で示すようにリード鎖錠片部５４′、５８′が形成されるので、これら接触金具２４、２５とともにそれを収容するボディ２２も大形化せざるを得ない。したがって、リード鎖錠片部５４、５８を切り起こして設けた構成によれば、ソケット２１全体のコンパクト化を促進できる。
【００４７】
なお、本発明は、以上のように第２片部５１ｂ、５５ｂからリード鎖錠片部５４、５８を切り起こして設けることに代えて電線鎖錠片部５３、５７を切り起こして設けても、同様な作用効果を得ることができ、この場合切り起こして設けられないリード線鎖錠片部５４、５８は、この第１の実施の形態の電線鎖錠片部５３、５７と同様に設ければよい。
【００４８】
【発明の効果】
本発明は、以上説明したような形態で実施され、以下に記載されるような効果を奏する。
【００４９】
請求項１の発明によれば、第１、第２の接触金具の口金接触片部を直接グロースタータの口金に接触させるので、ボディに内蔵する金具の数を削減できる。そして、これら二つの接触金具のボディに対する配置により、両接触金具のべースがボディの口金受け筒部の軸方向に直角に展開した姿勢となることがなく、前記軸方向と直角な方向に占める両接触金具のベースの面積を小さくでき、したがって、ソケット全体をコンパクトにできる。しかも、部品点数が少なく、それに伴い組立て工数も削減されるとともに、コンパクトであることにより、安価に得ることができる。
【００５０】
請求項２の発明によれば、第１、第２の接触金具の展開形状を略同じにできて、これら接触金具をプレス加工で打ち抜き成形して得る場合の材料の無駄を少くでき、加えて、第２片部の一部を利用して形成されたリード鎖錠片部または電線鎖錠片部を作るために格別に材料を必要としないので、接触金具の材料取りを向上してコストを低減できる。しかも、第２片部から切り起こされたリード鎖錠片部または電線鎖錠片部が第２片部の幅内に設けられて、この鎖錠片部が接触金具の幅を大きくする原因となることがないので、ソケット全体のコンパクト化を促進できる。
【図面の簡単な説明】
【図１】本発明の第１の実施の形態に係るグロースタータソケットの構成を示す正面図。
【図２】第１の実施の形態に係るグロースタータソケットの構成を、その裏蓋を開いた状態で示す後面図。
【図３】第１の実施の形態に係るグロースタータソケットの構成を、その裏蓋を開いた状態で、このソケットに取付けられるグロースタータおよび雑音防止用コンデンサとともに示す分解斜視図。
【図４】第１の実施の形態に係るグロースタータソケットの構成を、それにグロースタータおよび雑音防止用コンデンサを取付けた状態で示す斜視図。
【図５】第１の実施の形態に係るグロースタータソケットの構成を、その裏蓋を開いた状態で示す側面図。
【図６】第１の実施の形態に係るグロースタータソケットの構成を、その裏蓋を開いた状態で、このソケットに取付けられたグロースタータおよび雑音防止用コンデンサとともに図５中矢印Ｚ方向から見て示す図。
【図７】第１の実施の形態に係るグロースタータソケットが備えるボディの構成を、図５中Ｙ−Ｙ線に沿って示す断面図。
【図８】第１の実施の形態に係るグロースタータソケットの構成を、図２中Ｘ−Ｘ線に沿って示す断面図。
【図９】（Ａ）は第１の実施の形態に係るグロースタータソケットが備える第２接触金具の構成を示す正面図。
（Ｂ）は前記第２接触金具の構成を示す後面図。
（Ｃ）は前記第２接触金具の構成を図９（Ａ）中矢印Ｗ方向から見て示す側面図。
（Ｄ）は前記第２接触金具の構成を展開して示す図。
【図１０】（Ａ）は第１の実施の形態に係るグロースタータソケットが備える第１接触金具の構成を示す正面図。
（Ｂ）は前記第１接触金具の構成を示す後面図。
（Ｃ）は前記第１接触金具の構成を図１０（Ａ）中矢印Ｖ方向から見て示す側面図。
（Ｄ）は前記第１接触金具の構成を展開して示す図。
【図１１】従来例に係るグロースタータソケットの構成を示す正面図。
【図１２】従来例に係るグロースタータソケットの構成を、その裏蓋を開いた状態で、このソケットに取付けられるグロースタータおよび雑音防止用コンデンサとともに示す分解斜視図。
【図１３】従来例に係るグロースタータソケットの構成を、その裏蓋を開いた状態で示す後面図。
【図１４】従来例に係るグロースタータソケットの構成を示す斜視図。
【符号の説明】
２１…グロースタータソケット、
２２…ボディ、
２４…第１接触金具、
２５…第２接触金具、
２６…グロースタータ、
２７…口金、
２７ａ…口金の周壁、
２７ｂ…口金のアイレット端子、
３１…口金受け筒部、
３２…コンデンサ収容部、
３３…電線差し込み部、
３５…ブリッジ、
３８…雑音防止用コンデンサ、
３８ａ…コンデンサのリード、
４１…電線、
５１、５５…ベース、
５１ａ、５５ａ…第１片部、
５１ｂ、５５ｂ…第２片部、
５２、５６…口金接触片部、
５３、５７…電線鎖錠片部、
５４、５８…リード鎖錠片部。
【図１】
0003845900.tif 000002
【図２】
0003845900.tif 000003
【図３】
0003845900.tif 000004
【図４】
0003845900.tif 000005
【図５】
0003845900.tif 000006
【図６】
0003845900.tif 000007
【図７】
0003845900.tif 000008
【図８】
0003845900.tif 000009
【図９】
0003845900.tif 000010
【図１０】
0003845900.tif 000011
【図１１】
0003845900.tif 000012
【図１２】
0003845900.tif 000013
【図１３】
0003845900.tif 000014
【図１４】
0003845900.tif 000015